(57)【要約】【課題】装着している者だけがイベントの発生を感知する。【解決手段】生体の情報を測定する生体情報測定装置であって、生体に装着され、流体が注入される少なくとも１つのカフと、イベントが発生した旨の信号を外部装置から受信する受信部と、受信された信号に応答してカフに流体を注入するイベント発生報知制御部と、を備える。【選択図】図１
2019118435.tif 000002
【特許請求の範囲】
【請求項１】
生体の情報を測定する生体情報測定装置であって、
前記生体に装着され、流体が注入される少なくとも１つのカフと、
イベントが発生した旨の信号を外部装置から受信する受信部と、
前記受信された信号に応答して前記カフに前記流体を注入するイベント発生報知制御部と、
を備える、
生体情報測定装置。
【請求項２】
ポンプをさらに備え、
前記イベント発生報知制御部は、
前記イベントが発生した旨の信号に基づいて前記カフに前記流体を注入するかどうかを判定する判定部と、
前記流体を注入すると判定された場合に、前記ポンプを制御して前記カフに前記流体を注入する第１注入制御部と、
を備える、
請求項１に記載の生体情報測定装置。
【請求項３】
前記カフは少なくとも第１カフと第２カフとを含み、
前記イベント発生報知制御部は、
前記イベントが発生した旨の信号に基づいて前記第１カフと第２カフの少なくとも一方を選択するカフ選択部と、
前記選択された前記第１カフと第２カフの少なくとも一方に前記流体を注入する第２注入制御部と、
を備える、
請求項１または２に記載の生体情報測定装置。
【請求項４】
前記生体の情報の１つである血圧を測定する血圧測定部と、
前記イベントが発生した旨の信号が血圧測定を開始する指示を含んでいる場合に、前記カフを制御して前記血圧測定部に血圧を測定させる血圧測定制御部と、
をさらに備える、
請求項１乃至３のいずれか１項に記載の生体情報測定装置。
【請求項５】
前記カフの圧力を検出する圧力センサをさらに備え、
イベント発生報知制御部は、
前記カフへの前記流体の注入開始後、前記圧力が第１しきい値に到達した場合に、前記カフへの前記流体の注入を停止し、かつ前記流体を前記カフから排出するように制御するカフ制御部を備える、
請求項１乃至３のいずれか１項に記載の生体情報測定装置。
【請求項６】
前記カフ制御部は、前記圧力が前記第１しきい値に到達した時点から第１の期間が経過した後に、前記流体を前記カフから排出するように制御する、
請求項５に記載の生体情報測定装置。
【請求項７】
前記第１しきい値は、前記生体の情報を測定する場合での前記カフに印加される上限の圧力値よりも小さい、
請求項５または６に記載の生体情報測定装置。
【請求項８】
前記カフ制御部は、前記受信された信号に応答して、前記第１しきい値と前記カフに印加する圧力値とを連動して変更する、
請求項５乃至７のいずれか１項に記載の生体情報測定装置。
【請求項９】
前記カフに注入した流体の量を測定する測定部をさらに備え、
イベント発生報知制御部は、
前記カフへの前記流体の注入開始後、前記流体の量が第２しきい値に到達した場合に、前記カフへの前記流体の注入を停止し、かつ前記流体を前記カフから排出するように制御するカフ制御部を備える、
請求項１乃至３のいずれか１項に記載の生体情報測定装置。
【請求項１０】
前記カフ制御部は、前記流体の量が前記第２しきい値に到達した時点から第２の期間が経過した後に、前記流体を前記カフから排出するように制御する、
請求項９に記載の生体情報測定装置。
【請求項１１】
前記第２しきい値は、前記生体の情報を測定する場合での前記カフに印加される上限の圧力値に対応する前記カフ内の流体の量よりも小さい、
請求項９または１０に記載の生体情報測定装置。
【請求項１２】
前記カフ制御部は、前記受信された信号に応答して、前記第２しきい値と前記カフに注入させる流体の量とを連動して変更する、
請求項９乃至１１のいずれか１項に記載の生体情報測定装置。
【請求項１３】
前記イベントは、前記外部装置がメールまたはメッセージを着信した旨を含む、
請求項１乃至１０のいずれか１項に記載の生体情報測定装置。
【請求項１４】
生体の情報を測定する生体情報測定方法であって、
イベントが発生した旨の信号を外部装置から受信し、
前記受信された信号に応答して、前記生体に装着される少なくとも１つのカフに流体を注入すること、
を備える、
生体情報測定方法。
【請求項１５】
コンピュータを、請求項１乃至１３のいずれか１項に記載の生体情報測定装置が備える各制御部として機能させるためのプログラム。
【発明の詳細な説明】
【技術分野】
【０００１】
この発明は、カフを備える生体情報測定装置、方法及びプログラムに関する。
【背景技術】
【０００２】
近年、ブルートゥース（Bluetooth；登録商標）などの近距離無線通信方式によって、携帯型端末との間で無線リンクを確立して連携動作し、携帯型端末から情報を受信することが可能な小型デバイスが普及している。この種の小型デバイスは、例えば腕時計に代表され、アクセサリとも呼ばれる。  
このような小型デバイスは、例えば、ディスプレイ、スピーカ、バイブレーション装置などを備えている。携帯型端末がメールの着信やＳＮＳ（Social Networking Service）の着信または更新を検知した際に、それらの情報が無線リンクを通じて携帯型端末から小型デバイスに通知される。小型デバイスは、その情報を受け鳴動したり振動したりすることによって、ユーザにメールやＳＮＳの着信を通知することができる。
【０００３】
他に、通信端末における着呼及びメール着信等を、端末本体または付属品の外形形状を変化させる、または端末本体または付属品を振動させることで報知する技術がある。  
例えば、特許文献１には、駆動パターン生成部において駆動パターン信号をリアルタイムで生成し、この駆動パターン信号をアクチュエータに伝えることが開示されている。この結果、特許文献１に記載のイベント報知機構によれば、通信端末の付属品または通信端末自体を構成する部材の外形形状をアクチュエータが変化させて、発生したイベント（例えば、電話の着呼、メールの着信、またはＳＮＳの着信）をユーザに報知することができる。
【先行技術文献】
【特許文献】
【０００４】
【特許文献１】特開２００７−２１４９０８号公報
【発明の概要】
【発明が解決しようとする課題】
【０００５】
特許文献１に開示されたイベント報知機構は、端末本体または付属品の外形形状を変化させることによって、ユーザがこの外形形状の変化を視覚で捉え、イベントの発生を感知することができる。  
しかし、特許文献１に開示されたイベント報知機構は、外形形状の変化を視覚のみで捉えるので、ユーザが外形形状の変化に注目せず変化を見過ごすとイベントの発生を感知できない状況が生じるという問題がある。
また、このイベント報知機構は、端末本体または付属品の外形形状を変化させるためのアクチュエータが生み出す動力によって振動を発生することもできる。このアクチュエータの動力によって発生する振動によれば、視覚では見過ごしてもこの振動をユーザが感じてイベントの発生を感知することができる可能性がある。また、小型デバイスに設置された鳴動器（例えば、呼び出しベル、または呼び出しベル音の生成器）が鳴動してイベントの発生を報知することも考えられる。
しかしながら、小型デバイスが携帯型端末から情報を受け鳴動したり振動したりすると、小型デバイスの所有者だけでなく、周囲の無関係な人までがその音に気づいてしまう状況を生じるおそれがある。振動音は鳴動音より周囲に漏れることは少ないが、同じ大きさの振動音でも周囲に漏れるかどうかは環境に大きく依存する。例えば、小型デバイスを身につけず鞄等に収納している場合には所有者も周囲の人も振動音に気づかない場合がある。一方、同じ大きさの振動音でも静かな環境で所有者が小型デバイスを身につけていると、周囲の人が振動音に気づくだけではなく、所有者も突然の振動によって気づきを通り越して驚くことすらある。  
このように、アクチュエータの動きを制御し振動音の大きさを調節することは困難であり、小型デバイスの所有者だけにイベントの発生を感知させることは難しい。
【０００６】
この発明は上記事情に着目してなされたもので、その目的とするところは、装着している者だけがイベントの発生を感知することができる生体情報測定装置、方法及びプログラムを提供することである。
【課題を解決するための手段】
【０００７】
本発明は、上述した課題を解決するために、以下の構成を採用する。
【０００８】
すなわち、本発明の一側面に係る生体情報測定装置は、生体の情報を測定する生体情報測定装置であって、前記生体に装着され、流体が注入される少なくとも１つのカフと、イベントが発生した旨の信号を外部装置から受信する受信部と、前記受信された信号に応答して前記カフに前記流体を注入するイベント発生報知制御部と、を備える。
【０００９】
上記の構成では、外部装置でイベントが発生した旨の信号を生体情報測定装置が受信し、イベントが発生した旨の信号に応じて少なくとも１つのカフに生体情報測定装置が圧力伝達用の流体（単に「流体」とも称する）を注入する。なお、この少なくとも１つのカフは生体に装着されている。そのため、外部装置でイベントが発生した旨の信号に応じて、生体に対応するユーザは、流体の注入によりカフが膨張することを体感することができる。さらにその際に、例えば、イベントが発生した旨の信号に基づいてカフの膨張の仕方を変更するように制御すると、ユーザは、外部装置で何のイベントが発生しているかをカフの膨張の仕方で感知し識別することができる。
【００１０】
カフが膨張する際は、流体をカフに注入することから、カフの形状の変化と騒音が生じる。しかしながら、カフの形状の変化は、注意深く観察しない限り他者にはわかりにくい。たとえ他者がカフの形状変化を観察したとしても、例えば、カフが他者に干渉して迷惑をかけることはあり得ないので、カフの膨張が問題になる可能性は低い。また、カフの膨張によって発生する騒音には、主に、流体が流路を通ってカフに入る流体の音と、流体をカフに注入する機械（例えば、ポンプ）が動作する動作音とがある。いずれの音による騒音も、アクチュエータによる振動音よりも小さく設定することができるので、この振動音よりもカフの膨張による騒音は少なくすることができる。また、カフの大きさを小さくするほど、一般的に流体による音も小さくなるので、カフをできるだけ小さく設計することも騒音を減少する上で有効である（例えば、カフの膨張をユーザが感知できる限界までカフの大きさを小さくする）。したがって、当該構成によれば、装着しているものだけがイベントの発生を感知することが可能な生体情報測定装置を提供することができる。
【００１１】
上記の一側面に係る生体情報測定装置において、ポンプをさらに備え、前記イベント発生報知制御部は、前記イベントが発生した旨の信号に基づいて前記カフに前記流体を注入するかどうかを判定する判定部と、前記流体を注入すると判定された場合に、前記ポンプを制御して前記カフに前記流体を注入する第１注入制御部と、を備える。  
上記の構成では、例えば、ユーザが通知すべき特定のイベントを予め設定しておけば、特定のイベントが外部装置で発生した場合に、判定部が当該イベントが発生した旨の信号に基づいて判定することによって、ポンプを制御してカフに流体を注入させてカフを膨張させることができる。したがって、特定のイベントが外部装置で発生した場合に、カフを膨張させることによって当該イベントが外部装置で発生したことをユーザに知らせることが可能な生体情報測定装置を提供することができる。
【００１２】
上記の一側面に係る生体情報測定装置において、前記カフは少なくとも第１カフと第２カフとを含み、前記イベント発生報知制御部は、前記イベントが発生した旨の信号に基づいて前記第１カフと第２カフの少なくとも一方を選択するカフ選択部と、前記選択された前記第１カフと第２カフの少なくとも一方に前記流体を注入する第２注入制御部とを備える。  
上記の構成では、イベントが発生した旨の信号に基づいて第１カフのみ、第２カフのみ、または第１カフ及び第２カフを膨張させることを選択することができる。したがって、ユーザがイベントの種類を感知することが可能になる生体情報測定装置を提供することができる。例えば、イベントが緊急を要するような場合には、第１カフと第２カフとの両方のカフに流体を注入することでユーザがイベントを感知しやすくすることができる。
【００１３】
上記の一側面に係る生体情報測定装置において、前記生体の情報の１つである血圧を測定する血圧測定部と、前記イベントが発生した旨の信号が血圧測定を開始する指示を含んでいる場合に、前記カフを制御して前記血圧測定部に血圧を測定させる血圧測定制御部と、をさらに備える。  
上記の構成では、外部装置でイベントが発生した旨の信号は血圧の測定を開始する指示を含んだ内容であれば、発明に係る生体情報測定装置はカフを使用して血圧の測定を行う。したがって、外部装置でイベントが発生した旨の信号は血圧の測定指示を含む場合に、血圧測定を行うことが可能な生体情報測定装置を提供することができる。
【００１４】
上記の一側面に係る生体情報測定装置において、前記カフの圧力を検出する圧力センサをさらに備え、イベント発生報知制御部は、前記カフへの前記流体の注入開始後、前記圧力が第１しきい値に到達した場合に、前記カフへの前記流体の注入を停止し、かつ前記流体を前記カフから排出するように制御するカフ制御部を備える。  
上記の構成では、圧力センサがカフの圧力をモニタして、前記カフへの前記流体の注入開始後、その圧力値が大きくなり第１しきい値の圧力値に達したら、カフの圧力を降下させ流体を排出することにより、カフを初期状態に戻すことができる。このため、新たなイベントが外部装置で発生しても、そのイベントをユーザへ報知することが可能になる生体情報測定装置を提供することができる。
【００１５】
上記の一側面に係る生体情報測定装置において、前記カフ制御部は、前記圧力が前記第１しきい値に到達した時点から第１の期間が経過した後に、前記流体を前記カフから排出するように制御する。
上記の構成では、圧力センサが第１しきい値にカフの圧力が到達したことを検出してから、ある期間（第１の期間）だけその圧力を維持し、その後、カフから流体を排出させることにより、外部装置で発生したイベントをユーザに感知させやすくすることが可能になる生体情報測定装置を提供することができる。
【００１６】
上記の一側面に係る生体情報測定装置において、前記第１しきい値は、前記生体の情報を測定する場合での前記カフに印加される上限の圧力値よりも小さい。
上記の構成では、血圧測定のために使用されるカフに印加されることが想定されている上限の圧力値よりも、カフに印加される圧力値を小さくすることで、ユーザの生体（例えば、ユーザの腕、または脚）に圧力をかけ過ぎないように設定することが可能になる生体情報測定装置を提供することができる。
【００１７】
上記の一側面に係る生体情報測定装置において、前記カフ制御部は、前記受信された信号に応答して、前記第１しきい値と前記カフに印加する圧力値とを連動して変更する。
上記の構成では、外部装置でイベントが発生した旨の信号に応じて、カフに印加する圧力値を変更するように制御する。したがって、ユーザは、外部装置で何のイベントが発生しているかをカフに印加された圧力値（によるカフの膨張の度合）を感知することで識別することができる。
【００１８】
上記の一側面に係る生体情報測定装置において、前記カフに注入した流体の量を測定する測定部をさらに備え、イベント発生報知制御部は、前記カフへの前記流体の注入開始後、前記流体の量が第２しきい値に到達した場合に、前記カフへの前記流体の注入を停止し、かつ前記流体を前記カフから排出するように制御するカフ制御部を備える。
上記の構成では、カフに注入した流体の量（例えば、体積）を測定して、この流体の量が第２しきい値の流体の量に達したら、カフへの流体の注入を停止し流体を排出することにより、カフを初期状態に戻すことができる。このため、新たなイベントが外部装置で発生しても、そのイベントのユーザへの報知を行うことが可能になる生体情報測定装置を提供することができる。なお、第１しきい値の圧力値は、第２しきい値の流体の量がカフに流入した場合の圧力値に対応している。また、逆に、第２しきい値の流体の量は、第１しきい値の圧力値がカフにかかる場合の流体の量に対応している。
【００１９】
上記の一側面に係る生体情報測定装置において、前記カフ制御部は、前記流体の量が前記第２しきい値に到達した時点から第２の期間が経過した後に、前記流体を前記カフから排出するように制御する。
上記の構成では、カフに注入された流体の量が第２しきい値に到達したことを検出してから、第２の期間だけカフ内の流体の量（すなわち、第２しきい値の流体の量）を維持し、その後、カフから流体を排出させることにより、外部装置で発生したイベントをユーザに感知させやすくすることが可能になる生体情報測定装置を提供することができる。なお、第１の期間と第２の期間は同一でもよいし、異なっていてもよい。
【００２０】
上記の一側面に係る生体情報測定装置において、前記第２しきい値は、前記生体の情報を測定する場合での前記カフに印加される上限の圧力値に対応する前記カフ内の流体の量よりも小さい。
上記の構成では、血圧測定のために使用されるカフに印加されることが想定されている上限の圧力値に対応するカフ内の流体の量よりも、カフ内の流体の量を小さくすることで、ユーザの生体（例えば、ユーザの腕、または脚）に圧力をかけ過ぎないように設定することが可能になる生体情報測定装置を提供することができる。
【００２１】
上記の一側面に係る生体情報測定装置において、前記カフ制御部は、前記受信された信号に応答して、前記第２しきい値と前記カフに注入させる流体の量とを連動して変更する。
上記の構成では、外部装置でイベントが発生した旨の信号に応じて、カフに注入させる流体の量を変更するように制御する。したがって、ユーザは、外部装置で何のイベントが発生しているかをカフに注入される流体の量の違い（によるカフの膨張の度合）を感知することで識別することができる。
【００２２】
上記の一側面に係る生体情報測定装置において、前記イベントは、前記外部装置がメールまたはメッセージを着信した旨を含む。
上記の構成では、外部装置がメールまたはメッセージを着信すると、外部装置がメールまたはメッセージを着信した旨を、発明に係る生体情報測定装置が備えるカフを膨張させることによってユーザに感知させることが可能になる生体情報測定装置を提供することができる。
【００２３】
上記の一側面に係る生体情報測定装置において、前記外部装置は、携帯型端末である。
上記の構成では、携帯型端末（例えば、スマートフォン、携帯電話機、またはモバイルパソコン）に発生したイベントを、発明に係る生体情報測定装置が受け取り、カフの膨張によってユーザが感知することが可能になる生体情報測定装置を提供することができる。
【００２４】
上記の一側面に係る生体情報測定装置において、前記イベントは近距離無線通信方式によって送信される。
上記の構成では、外部装置から生体情報測定装置への送信は近距離無線通信方式（例えば、ブルートゥース（登録商標））にしたがうことによって、他の無線通信方式よりも低消費電力かつ安価な機器で送信を実現することが可能になる生体情報測定装置を提供することができる。
【発明の効果】
【００２５】
本発明によれば、装着している者だけがイベントの発生を感知することができる生体情報測定装置、方法及びプログラムを提供することができる。
【図面の簡単な説明】
【００２６】
【図１】実施の形態に係る血圧測定装置及び外部装置の適用場面の一例を模式的に例示する図。
【図２】実施の形態に係る血圧測定装置のハードウェア構成の一例を模式的に例示する図。
【図３】図２の血圧測定装置の外観の一例を例示する図。
【図４】図３の血圧測定装置を手首に装着した場合の一例を例示する断面図。
【図５】実施の形態に係る血圧測定装置のソフトウェア構成の一例を模式的に例示する図。
【図６】実施の形態に係る血圧測定装置の処理手順の一例を例示する図。
【図７】図６のステップＳ６０３から分岐する処理手順の一例を例示する図。
【図８】変形例に係る血圧測定装置のハードウェア構成の一例を模式的に例示する図。
【図９】図８の血圧測定装置を手首に装着した場合の一例を例示する断面図。
【発明を実施するための形態】
【００２７】
以下、本発明の一側面に係る実施の形態（以下、「本実施形態」とも表記する）を、図面に基づいて説明する。なお、以下の実施形態では、同一の番号を付した部分については同様の動作を行うものとして、重ねての説明を省略する。
【００２８】
［適用例］  
まず、図１を用いて、本発明が適用される場面の一例について説明する。図１は、本実施形態に係る血圧測定装置１００及び外部装置１５０の適用場面の一例を模式的に例示する。本実施形態に係る血圧測定装置１００は、発生したイベントを外部装置１５０から受信部１０１が受信し、イベント判定部１０５がイベントの種類を識別しこの種類に基づいて流体をカフ１０４に注入すると判定した場合に、血圧測定部１０２がポンプ１０３を使用してカフ１０４に流体を注入するものである。ここで、カフ１０４は複数個あってもよい。
【００２９】
図１に示される通り、血圧測定装置１００は、生体に装着されて生体の血圧（本発明の「生体の情報」の一例）を測定するものであり、外部装置１５０からイベントが発生した旨の信号を受信する受信部１０１と、前記信号に応じてイベントの種類を識別し、イベントの種類に応じた処理を判定するイベント判定部１０５と、イベントの種類に応じて異なる動作を実行する血圧測定部１０２と、血圧測定部１０２の指示により動作するポンプ１０３と、ポンプ１０３により流体を注入するカフ１０４と、を備えている。血圧測定部１０２及びイベント判定部１０５が本発明の「イベント発生報知制御部」に相当する。  
イベントは、外部装置１５０で発生したイベントであれば何でもよいが、外部装置１５０が、例えばネットワークから受けるものでメールの着信、ＳＮＳでのメッセージの着信、電話の着呼、または血圧測定を開始する旨の指示の着信がある。他に、イベントとしては、血圧測定を開始する旨の指示を外部装置１５０へ直接入力するものがある。血圧測定部１０２はカフを用いて血圧測定を行うものであれば、血圧測定方式は何でもよい。血圧測定部１０２は、例えば、オシロメトリック方式によって血圧を測定する。また、血圧測定装置１００は血圧測定を行わず（または血圧測定に加えて）、例えば、カフを用いて脈拍を測定してもよい。つまり、本実施形態の血圧測定装置１００は、カフを用いて測定することができる生体情報であれば、何を測定してもよい。また、外部装置１５０は血圧測定装置とは別体の装置であり、例えば、スマートフォン、携帯電話機、またはモバイルパソコンなどの携帯型端末またはサーバである。
【００３０】
受信部１０１はイベントが外部装置１５０で発生した旨の信号を受信し、イベント判定部１０５が、イベントが発生した旨の信号に基づいてイベントの種類に応じて、血圧測定部１０２がポンプ１０３を制御し、少なくとも１つのカフ１０４に流体を注入するように構成されている。これにより、イベント判定部１０５がイベントの種類に応じてカフ１０４に流体をどのように注入するか（または注入しないか）を判定し、ポンプ１０３にその判定結果（制御指示）を渡し、ポンプ１０３を制御する。
【００３１】
以上の通り、本実施形態では、外部装置１５０でイベントが発生した旨の信号を受信部１０１が受信し、受信したイベントが発生した旨の信号に応答してイベントの種類を判定し、この種類に応じてイベント判定部１０５がポンプ１０３を制御し、少なくとも１つのカフ１０４にポンプ１０３が流体を注入する。そのため、外部装置１５０で発生したイベントの種類に応じて、ユーザはカフ１０４が流体の注入により膨張することを体感することになる。つまり、イベント判定部１０５と血圧測定部１０２とが、イベントの種類に応じてカフ１０４の膨張の仕方を変更することができる。したがって、本実施形態によれば、ユーザは、外部装置１５０で何のイベントが発生しているかをカフ１０４の膨張の仕方で感知することができる。
【００３２】
また、ユーザにイベントを感知させるために、血圧測定装置１００に設置された呼び出しベルが鳴動したり、アクチュエータにより血圧測定装置１００を振動させる従来の手法を用いたとすると、小型デバイスが発する鳴動音や振動音が大きく、小型デバイスの所有者だけでなく、報知不要な周囲の無関係な人までがその音に気づいてしまう。そのため、呼び出しベルまたはアクチュエータに代表される音を発生する手段によって、周囲に気づかれずに所望のユーザのみにイベントを知らせることは困難である。
これに対して、本実施形態の手法によれば、イベントの発生に応じてカフ１０４が膨張して、ユーザがカフ１０４の膨張を感知することによってイベントの発生を知ることができる。カフ１０４の膨張による騒音は、流体が流路を通ってカフ１０４に入る流体の音と、流体をカフ１０４まで注入させるポンプ１０３が動作するポンプ音とが発生する。いずれの音による騒音も、アクチュエータによる振動音よりも小さく設定することができるので、この振動音よりもカフの膨張による騒音は少なくすることができる。また、カフ１０４の大きさをユーザが膨張を感知できる限界まで小さくしてもよく、この場合、カフによる騒音がさらに減少すると期待できる。したがって、当該構成によれば、装着しているものだけがイベントの発生を感知することが可能になる。
【００３３】
［構成例］  
（ハードウェア構成）  
＜血圧測定装置＞  
次に、図２を用いて、本実施形態に係る血圧測定装置１００のハードウェア構成の一例について説明する。  
図２に示される通り、本実施形態に係る血圧測定装置１００は、出力装置２１１、入力装置２１２、制御部２１３、記憶部２１４、ドライブ２１５、外部インタフェース２１６、通信インタフェース２１７、及び電池２１８が電気的に接続されたコンピュータを含む。さらに血圧測定装置１００は、圧力センサ２１９、ポンプ駆動回路２２０、ポンプ２２１、及び押圧カフ２３１を備える。本実施形態に係る血圧測定装置１００は、本発明の「生体情報測定装置」に相当する。なお、図２では、通信インタフェース及び外部インタフェースをそれぞれ、「通信Ｉ／Ｆ」及び「外部Ｉ／Ｆ」と記載している。
【００３４】
制御部２１３は、ＣＰＵ（Central Processing Unit）、ＲＡＭ（Random Access Memory）、ＲＯＭ（Read Only Memory）等を含み、情報処理に応じて各構成要素の制御を行う。記憶部２１４は、例えば、ハードディスクドライブ、ソリッドステートドライブ等の補助記憶装置であり、制御部２１３で実行されるイベント判定及びカフ制御プログラム、血圧測定プログラム、及び／または血圧測定装置が測定した血圧のデータである血圧測定データ等を記憶する。
【００３５】
イベント判定及びカフ制御プログラムは、外部装置１５０に発生したイベントの種類を判定し、イベントの種類に応じて押圧カフ２３１に流体を注入してその後、流体を排出する処理（図６）を実行させるためのプログラムである。また、血圧測定プログラムは、押圧カフ２３１を利用してカフを装着したユーザの血圧を測定する処理（図７）を実行させるためのプログラムである。さらに、血圧測定データは、血圧測定プログラムを実行することによって得られる血圧の時系列データである。詳細は後述する。
【００３６】
通信インタフェース２１７は、例えば、近距離無線通信（例えば、ブルートゥース）モジュール、有線ＬＡＮ（Local Area Network）モジュール、無線ＬＡＮモジュール等であり、ネットワークを介した有線または無線通信を行うためのインタフェースである。通信インタフェース２１７は、血圧測定装置１００を外部装置１５０と接続するためのインタフェースである。通信インタフェース２１７は、制御部２１３によって制御される。通信インタフェース２１７は、ネットワークを介して受信した外部装置１５０からの情報を制御部２１３へ受け渡す。このネットワークを介した通信は、無線または有線のいずれでもよい。なお、通信インタフェース２１７は、ネットワークを介して、情報を外部装置１５０へ送信することができてもよい。ネットワークは、病院内ＬＡＮのような他の種類のネットワークであってもよいし、ＵＳＢ（Universal Serial Bus）ケーブルなどを用いた１対１の通信であってもよい。通信インタフェース２１７は、マイクロＵＳＢコネクタを含んでいてもよい。
【００３７】
入力装置２１２は、例えば、マウス、キーボード等の入力を行うための装置である。出力装置２１１は、例えば、ディスプレイ、スピーカ等の出力を行うための装置である。外部インタフェース２１６は、ＵＳＢポート等であり、例えば、圧力センサ２１９、及び／またはポンプ駆動回路２２０等の外部装置と接続するためのインタフェースである。
【００３８】
記憶部２１４は、コンピュータその他の装置、機械等が記録されたプログラム等の情報を読み取り可能なように、当該プログラム等の情報を、電気的、磁気的、光学的、機械的または化学的作用によって蓄積する媒体である。血圧測定装置１００は、この記憶部２１４から、イベント判定及びカフ制御プログラム、血圧測定プログラム、及び／または血圧測定データを取得してもよい。
【００３９】
ドライブ２１５は、例えば、ＣＤ（Compact Disk）ドライブ、ＤＶＤ（Digital Versatile Disk）ドライブ等であり、記憶媒体に記憶されたプログラムを読み込むための装置である。ドライブ２１５の種類は、記憶媒体の種類に応じて適宜選択されてよい。上記イベント判定及びカフ制御プログラム、血圧測定プログラム、及び／または血圧測定データは、この記憶媒体に記憶されていてもよい。ここでは、記憶媒体の一例として、ＣＤ、ＤＶＤ等のディスク型の記憶媒体を例示している。しかしながら、記憶媒体の種類は、ディスク型に限定される訳ではなく、ディスク型以外であってもよい。ディスク型以外の記憶媒体として、例えば、フラッシュメモリ等の半導体メモリを挙げることができる。
【００４０】
電池２１８は、例えば、充電可能な２次電池である。電池２１８は、血圧測定装置１００本体に搭載されている各要素へ電力を供給する。電池２１８は、例えば、出力装置２１１、入力装置２１２、制御部２１３、記憶部２１４、ドライブ２１５、外部インタフェース２１６、通信インタフェース２１７、圧力センサ２１９、ポンプ駆動回路２２０、及びポンプ２２１へ電力を供給する。
【００４１】
圧力センサ２１９は、例えば、ピエゾ抵抗式圧力センサである。圧力センサ２１９は、第１流路を構成する可撓性チューブ２４１及び第１流路形成部材２４２を介して、押圧カフ２３１内の圧力を検出する。圧力センサ２１９は、圧力データ（例えば、圧力値の時系列データ）を制御部２１３へ出力する。
【００４２】
ポンプ駆動回路２２０は、制御部２１３からの制御信号に基づいて、ポンプ２２１を駆動または制動する（つまり、ポンプ２２１をオンまたはオフする）。  
ポンプ駆動回路２２０は、流体を注入すると判定された場合に、押圧カフ２３１に流体を注入するポンプ２２１を駆動する。
【００４３】
ポンプ２２１は、例えば、圧電ポンプである。ポンプ２２１は、第１流路を介して、押圧カフ２３１に流体が流通可能に接続されている。ポンプ２２１は、第１流路を通して、押圧カフ２３１に流体（例えば、空気）を供給することができる。なお、ポンプ２２１には、ポンプ２２１のオンまたはオフに伴って開閉が制御される図示しない排気弁が搭載されている。すなわち、この排気弁は、ポンプ２２１がオンされると閉じて、押圧カフ２３１内に空気を封入する。一方、この排気弁は、ポンプ２２１がオフされると開いて、押圧カフ２３１内の空気を、第１流路を通して大気中へ排出させる。なお、この排気弁は、逆止弁の機能を有し、排出される空気が逆流することはない。  
また、これとは異なり、制御部２１３が、ポンプ２２１のオンまたはオフの制御と、排気弁の開閉の制御とを別々に行うようにしてもよい。  
押圧カフ２３１については図３及び図４を参照して後述する。
【００４４】
また、ポンプ２２１が押圧カフ２３１に注入する流体の量を固定してもよい。ポンプ２２１は、例えば、固定流量を１０ｓｃｃｍ（standard cubic centimeter per minute）で供給する。ｓｃｃｍは、気圧及び温度で規格化する（例えば、１気圧かつ摂氏０度で規格化する）。この場合は、流入を開始してからの経過時間が判明すれば、押圧カフ２３１に注入された流体の量を算出することができる。本実施形態では、制御部２１３がポンプ駆動回路２２０をオンしてからの経過時間を測定することによって、押圧カフ２３１に注入された流体の量を算出することができる。  
また、ポンプ駆動回路２２０の駆動電圧と流量との関係を表わすデータテーブルを予め記憶部２１４に記憶しておき、制御部２１３が、ポンプ駆動回路２２０の駆動電圧から、そのデータテーブルを参照して電圧値を流量に置換えることで、流量を取得してもよい。
【００４５】
なお、血圧測定装置１００の具体的なハードウェア構成に関して、実施形態に応じて、適宜、構成要素の省略、置換及び追加が可能である。例えば、制御部２１３は、複数のプロセッサを含んでもよい。血圧測定装置１００は、複数台の情報処理装置で構成されてもよい。また、血圧測定装置１００は、提供されるサービス専用に設計された情報処理装置の他、汎用のデスクトップＰＣ（Personal Computer）、タブレットＰＣ等が用いられてもよい。
【００４６】
＜血圧測定装置の構造＞  
次に、血圧測定装置１００の構造の一例について図３及び図４を参照して説明する。  
図３は、この発明に係る血圧測定装置の外観の一例を示す図である。  
血圧測定装置１００は、例えば、腕時計型ウェアラブルデバイスである。血圧測定装置１００は、本体１０と、ベルト２０と、カフ構造体３０とを備えている。
【００４７】
本体１０は、血圧測定装置１００の制御系の要素などの複数の要素を搭載可能に構成されている。  
本体１０は、ケース１０Ａと、ガラス１０Ｂと、裏蓋１０Ｃとを備えている。  
ケース１０Ａは、例えば、略短円筒状である。ケース１０Ａは、その側面の２か所それぞれに、ベルト２０を取り付けるための１対の突起状のラグを備えている。  
ガラス１０Ｂは、ケース１０Ａの上部に取り付けられている。ガラス１０Ｂは、例えば、円形状である。  
裏蓋１０Ｃは、ガラス１０Ｂと対向するように、ケース１０Ａの下部に着脱可能に取り付けられる。
【００４８】
本体１０は、出力装置２１１と、操作部１０６とを搭載している。  
出力装置２１１は、種々の情報を表示する。出力装置２１１は、本体１０の内にあって、ガラス１０Ｂを介して被測定者が視認可能な位置に設けられている。出力装置２１１は、例えば、ＬＣＤ（Liquid Crystal Display）である。出力装置２１１は、有機ＥＬ（Electro Luminescence）ディスプレイであってもよい。出力装置２１１は、種々の情報を表示する機能を備えていればよく、これらに限定されるものではない。出力装置２１１は、ＬＥＤ（Light Emitting Diode）を備えていてもよい。
【００４９】
操作部１０６は、入力装置２１２に含まれ、血圧測定装置１００に対する種々の指示を入力するための要素である。操作部１０６は、本体１０の側面に設けられている。操作部１０６は、例えば、１以上のプッシュ式スイッチを備えている。操作部１０６は、感圧式（抵抗式）または近接式（静電容量式）のタッチパネル式スイッチであってもよい。操作部１０６は、血圧測定装置１００に対する種々の指示を入力する機能を備えていればよく、これらに限定されるものではない。
【００５０】
ここで、操作部１０６が備えるスイッチの一例について説明する。  
操作部１０６は、血圧測定の開始または停止を指示するための測定スイッチを備えている。また、操作部１０６は、出力装置２１１の表示画面を予め定められたホーム画面へ戻すためのホームスイッチや、過去の血圧、活動量などの測定記録を出力装置２１１に表示させるための記録呼出スイッチを備えていてもよい。
【００５１】
なお、本体１０は、出力装置２１１及び操作部１０６以外の複数の要素を搭載している。本体１０が搭載する複数の要素については後述する。
【００５２】
ベルト２０は、被測定者（ユーザ）の被測定部位（例えば、左手首、右手首）を取り巻き可能に構成されている。ベルト２０の幅方向をＸ方向とする。一方、ベルト２０が被測定部位を取り巻く方向をＹ方向とする。  
ベルト２０は、第１ベルト部２０１と、第２ベルト部２０２と、尾錠２０３と、ベルト保持部２０４とを備えている。
【００５３】
第１ベルト部２０１は、本体１０から一方向片側（図３では、右側）へ延在する帯状のものである。第１ベルト部２０１のうちの本体１０に近い根元部２０１ａは、本体１０の一対のラグに対して、連結棒４０１を介して回動自在に取り付けられている。
【００５４】
第２ベルト部２０２は、本体１０から一方向他側（図３では、左側）へ延在する帯状のものである。第２ベルト部２０２のうちの本体１０に近い根元部２０２ａは、本体１０の一対のラグに対して、連結棒４０２を介して回動自在に取り付けられている。第２ベルト部２０２のうちの根元部２０２ａと本体１０から遠い先端部２０２ｂとの間には、複数の小穴２０２ｃが、第２ベルト部２０２の厚さ方向に貫通して形成されている。
【００５５】
尾錠２０３は、第１ベルト部２０１と第２ベルト部２０２とを締結可能に構成されている。尾錠２０３は、第１ベルト部２０１のうちの本体１０から遠い先端部２０１ｂに取り付けられている。尾錠２０３は、枠状体２０３Ａと、つく棒２０３Ｂと、連結棒２０３Ｃとを備えている。  
枠状体２０３Ａ及びつく棒２０３Ｂは、第１ベルト部２０１の先端部２０１ｂに対して、連結棒２０３Ｃを介して回動自在に取り付けられている。枠状体２０３Ａ及びつく棒２０３Ｂは、例えば、金属材料で構成されている。枠状体２０３Ａ及びつく棒２０３Ｂは、プラスチック材料で構成されていてもよい。第１ベルト部２０１と第２ベルト部２０２との締結時に、第２ベルト部２０２の先端部２０２ｂは、枠状体２０３Ａに通される。つく棒２０３Ｂは、第２ベルト部２０２の複数の小穴２０２ｃのうちのいずれか１つに挿通される。
【００５６】
ベルト保持部２０４は、第１ベルト部２０１のうちの根元部２０１ａと先端部２０１ｂとの間に取り付けられている。第１ベルト部２０１と第２ベルト部２０２との締結時に、第２ベルト部２０２の先端部２０２ｂは、ベルト保持部２０４に通される。
【００５７】
＜カフの構造＞  
カフ構造体３０の構成について説明する。  
カフ構造体３０は、外部装置１５０でのイベントの発生をユーザに感知させる時または血圧測定時に、被測定部位を圧迫可能に構成されている。  
カフ構造体３０は、Ｙ方向に沿って延在する帯状のものである。カフ構造体３０は、ベルト２０の内周面に対向している。カフ構造体３０の一端３０ａは、本体１０に取り付けられている。カフ構造体３０の他端３０ｂは、自由端である。このため、カフ構造体３０は、ベルト２０の内周面から離間自在である。  
カフ構造体３０は、カーラ３０１と、押圧カフ２３１と、背板３０３とを備えている。
【００５８】
カーラ３０１は、カフ構造体３０の最外周に配置されている。カーラ３０１は、自然状態では、Ｙ方向に沿って湾曲している。カーラ３０１は、所定の可撓性及び硬さを有する樹脂板である。樹脂板は、例えば、ポリプロピレンで構成されている。
【００５９】
押圧カフ２３１は、カーラ３０１の内周面に沿って配置されている。押圧カフ２３１は、袋状である。押圧カフ２３１には、可撓性チューブ２４１（図２）が取り付けられている。可撓性チューブ２４１は、本体１０側から流体を供給し、または、押圧カフ２３１から流体を排出するための要素である。流体は、例えば、空気である。流体が押圧カフ２３１に供給されると、押圧カフ２３１は膨張し、被測定部位を圧迫する。
【００６０】
なお、押圧カフ２３１は、例えば、厚さ方向に積層されている２つの流体袋を含んでいてもよい。各流体袋は、例えば、伸縮可能なポリウレタンシートで構成されている。流体が押圧カフ２３１に供給されると、流体は、各流体袋に流入する。各流体袋が膨張することで、押圧カフ２３１は膨張する。この押圧カフ２３１の２つの流体袋がそれぞれ本発明の「第１カフ」及び「第２カフ」に相当する。また、押圧カフ２３１が本発明の「第１カフ」または「第２カフ」の一方に相当し、後述するセンシングカフが本発明の「第１カフ」または「第２カフ」の他方に相当してもよい。
【００６１】
背板３０３は、押圧カフ２３１の内周面に沿って配置されている。背板３０３は、帯状のものである。背板３０３は、例えば、樹脂で構成されている。樹脂は、例えば、ポリプロピレンである。背板３０３は、補強板として機能する。  
背板３０３の内周面及び外周面には、方向Ｘに延びる断面Ｖ字状またはＵ字状の溝が、方向Ｙに関して互いに離間して複数平行に設けられている。背板３０３は屈曲し易いので、背板３０３は、カフ構造体３０が湾曲しようとすることを妨げない。
【００６２】
＜装着状態でのカフ＞  
次に、血圧測定装置１００が被測定部位に装着された状態（以下、「装着状態」とも称する）について図４を参照して説明する。  
図４は、装着状態における被測定部位である左手首９０に垂直な断面を示す図である。本体１０とベルト２０の図示は省略されている。図４には、左手首９０の橈骨動脈９１、尺骨動脈９２、橈骨９３、尺骨９４、及び腱９５が示されている。
【００６３】
この装着状態では、カーラ３０１は、左手首９０のＺ方向に沿って延在する。押圧カフ２３１は、カーラ３０１の内周側で、Ｚ方向に沿って延在する。背板３０３は、押圧カフ２３１と左手首９０との間に介挿され、Ｚ方向に沿って延在する。ベルト２０、カーラ３０１、押圧カフ２３１、及び背板３０３は、左手首９０へ向かって押圧力を発生可能な押圧部材として働き、左手首９０を圧迫する。
【００６４】
（ソフトウェア構成）  
＜血圧測定装置＞  
次に、図５を用いて、本実施形態に係る血圧測定装置１００のソフトウェア構成の一例を説明する。  
血圧測定装置１００の制御部２１３は、必要なプログラムを実行する際に、記憶部２１４に記憶された、イベント判定及びカフ制御プログラム、及び／または血圧測定プログラムをＲＡＭに展開する。そして、制御部２１３は、ＲＡＭに展開されたイベント判定及びカフ制御プログラム、及び／または血圧測定プログラムをＣＰＵにより解釈及び実行して、各構成要素を制御する。これによって、図５に示される通り、本実施形態に係る血圧測定装置１００は、イベント取得部５０１、イベント判定部５０２、注入指示部５０３、圧力検出部５０４、流入量検出部５０５、注入停止排出指示部５０６、及び血圧測定部５０７を備えるコンピュータとして機能する。圧力検出部５０４及び流入量検出部５０５については、どちらかを血圧測定装置１００が備えていれば十分である。もちろん、圧力検出部５０４及び流入量検出部５０５を備え、注入停止排出指示部５０６は双方の検出した結果を利用して注入停止及び排出の指示を決定してもよい。
【００６５】
イベント取得部５０１は、通信インタフェース２１７を介して外部装置１５０から、外部装置１５０でイベントが発生した旨の信号を取得する。  
イベント判定部５０２は、イベント取得部５０１が取得した信号に応答して、イベントの種類を抽出し、カフ構造体３０に流体を注入するかどうかを判定し、注入すると判定した場合にはその旨の指示を注入指示部５０３へ渡す。また、イベント判定部５０２は、イベントが血圧測定を開始する指示を含んでいると判定した場合には、カフ構造体３０を制御して血圧を測定する指示を血圧測定部５０７へ渡す。カフ構造体３０に流体を注入する旨の指示を含むイベントは予め、記憶部２１４に記憶及び設定されている。カフ構造体３０に流体を注入する旨の指示を含むイベントは、例えば、外部装置１５０がメールを着信したとのイベントを予め設定しておく。また、イベントの種類に応じてカフの膨張の仕方を変更し、イベントの種類とカフの膨張の仕方との対応を記憶部２１４に予め記憶しておき、イベント判定部５０２は記憶部２１４を参照してカフの膨張の仕方を変更することができる。  
イベント判定部５０２が取得されたイベントに基づいてカフ構造体３０に流体を注入すると判定した場合に、注入指示部５０３は、カフ構造体３０に流体を注入するために、ポンプ駆動回路２２０にポンプ２２１を動作させる指示信号を送る。また、注入指示部５０３は、圧力検出部５０４にカフ構造体３０の圧力を検出するように指示信号を送る。他に、注入指示部５０３は、流入量検出部５０５にカフ構造体３０にどれだけの量の流体が注入されたかを検出するように指示信号を送ってもよい。カフ構造体３０内にどれだけの量の流体が注入されたかと、カフ構造体３０内の圧力値とは対応しているので、通常はどちらかだけを測定すればよい。もちろん、どちらも測定して、どちらかを採用するか、または両方の値から統計値（例えば、算術平均値）を算出しその値を採用してもよい。さらに、血圧測定部５０７から血圧測定を行うためにカフ構造体３０に流体を注入する指示を受けた場合には、そのための動作を行う。具体的には、注入指示部５０３は、血圧測定方式（例えば、オシロメトリック方式）にしたがってカフ構造体３０に流体を注入するようにポンプ駆動回路２２０に指示を渡す。
【００６６】
圧力検出部５０４は、注入指示部５０３からの指示を受け、圧力センサ２１９が検出したカフ構造体３０内の圧力値を受け取り、この圧力値がある値（本発明の「第１しきい値」に相当する）に到達したかを監視し、到達したと判定した場合に、注入停止排出指示部５０６に到達した旨を渡す。また、圧力検出部５０４は、圧力センサ２１９が検出したカフ内の圧力値を血圧測定部５０７に渡す。
流入量検出部５０５は、注入指示部５０３からの指示を受け、カフ構造体３０にどれだけの量の流体が注入されたかを検出する。流入量検出部５０５は、例えば、ポンプ２２１がカフ構造体３０に注入する流量が固定されていれば注入時間を測定することによってカフ構造体３０への流体の流入量を検出する。そして、流入量検出部５０５は、この流入量がある値（本発明の「第２しきい値」に相当する）に到達したかを監視し、到達したと判定した場合に、注入停止排出指示部５０６に到達した旨を渡す。また、流入量検出部５０５は、例えば、ポンプ駆動回路２２０の駆動電圧と流量との関係を表わすデータテーブルを予め記憶部２１４に記憶しておき、このテーブルから流量を算出してもよい。この場合は、流入量検出部５０５が、ポンプ駆動回路２２０の駆動電圧から、そのデータテーブルを参照して電圧値を流量に置換えることで、流量を取得する。
【００６７】
注入停止排出指示部５０６は、圧力検出部５０４からは、カフ構造体３０内の圧力値がある値に到達した旨を受け取った場合には、カフ構造体３０への流体の注入を停止するようにポンプ駆動回路２２０に指示し、それと同時にカフ構造体３０から流体を排出するようにポンプ駆動回路２２０に指示する。ポンプ駆動回路２２０は、流体のカフ構造体３０への注入を停止するようにポンプ２２１に指示する。ポンプ２２１は、注入を停止すると共に排気弁が開いて流体をカフ構造体３０から排出するので、注入停止排出指示部５０６はポンプ駆動回路２２０へポンプ２２１の停止指示だけすればよい。  
しかし、ポンプ２２１のオンまたはオフの制御と、排気弁の開閉の制御とが別々に実行できるポンプ２２１を用意してもよい。この場合には、注入停止排出指示部５０６は、ポンプ２２１のオンまたはオフの制御の指示と、排気弁の開閉の制御の指示とを別々に行い、それぞれ実行する。この場合には、注入停止排出指示部５０６は、カフ構造体３０内の圧力値がある値に到達した旨を受け取った場合には、カフ構造体３０への流体の注入を停止するようにポンプ駆動回路２２０に指示し、それからある期間だけその状態を維持し、この期間が経過した後にカフ構造体３０から流体を排出させるようにポンプ駆動回路２２０に指示してもよい。
【００６８】
また、注入停止排出指示部５０６は、流入量検出部５０５からは、カフ構造体３０内への流入量がある値に到達した旨を受け取った場合には、圧力検出部５０４の場合と同様に、カフ構造体３０への流体の注入を停止するようにポンプ駆動回路２２０に指示し、それと同時にカフ構造体３０から流体を排出するようにポンプ駆動回路２２０に指示する。なお、ポンプ２２１の制御も、圧力検出部５０４の場合と同様である。
さらに、注入停止排出指示部５０６は、入力装置２１２からの指示（ユーザの指示）により、注入停止及び／または排出を行ってもよい。これは例えば、ユーザがカフ構造体３０の膨張を緊急に停止したい時に有効である。
【００６９】
血圧測定部５０７は、イベント判定部５０２が血圧測定を開始すると判定した場合に、注入指示部５０３に血圧を測定する指示を渡し、カフ構造体３０を使用してユーザの血圧測定を開始し、圧力検出部５０４からカフ構造体３０の圧力値を受け取る。血圧測定部５０７は、カフ構造体３０を用いて血圧測定を行うものであれば、血圧測定方式は何でもよい。血圧測定部５０７は、例えば、オシロメトリック方式によって血圧を測定する。血圧測定部５０７が測定した血圧値（収縮期血圧値、及び拡張期血圧値）は、記憶部２１４に記憶される。記憶部２１４には、例えば、血圧値の時系列データが記憶される。  
また、血圧測定部５０７は、入力装置２１２からの指示（ユーザの指示）により血圧測定を開始してもよい。
【００７０】
＜その他＞  
血圧測定装置１００の各機能に関しては後述する動作例で詳細に説明する。なお、本実施形態では、血圧測定装置１００の各機能がいずれも汎用のＣＰＵによって実現される例について説明している。しかしながら、以上の機能の一部又は全部が、１又は複数の専用のプロセッサにより実現されてもよい。また、血圧測定装置１００の機能構成に関して、実施形態に応じて、適宜、機能の省略、置換及び追加が行われてもよい。
【００７１】
［動作例］
＜血圧測定装置＞
次に、図６及び図７を用いて、血圧測定装置１００の動作例を説明する。図６及び図７は、血圧測定装置１００の処理手順の一例を例示するフローチャートである。なお、以下で説明する処理手順は一例に過ぎず、各処理は可能な限り変更されてよい。また、以下で説明する処理手順について、実施の形態に応じて、適宜、ステップの省略、置換、及び追加が可能である。
【００７２】
（起動）  
まず、ユーザは、血圧測定装置１００を起動し、起動した血圧測定装置１００にイベント判定及びカフ制御プログラムを実行させる。血圧測定装置１００の制御部２１３は、以下の処理手順にしたがって、外部装置１５０で発生したイベントの種類を判定し、カフ構造体３０を制御する。なお、記憶部２１４には予め、カフ構造体３０に流体を注入するイベントを設定して記憶させておく。また、複数のイベントを設定し、イベントの種類ごとにユーザが感知する態様を変化させてもよい。例えば、カフを複数用意し、イベントの種類によって、第１カフのみに流体を流入する、または第１カフ及び第２カフに流体を注入する、ように変化させてもよい。
【００７３】
（ステップＳ６０１）  
ステップＳ６０１では、制御部２１３は、イベント取得部５０１として機能し、通信インタフェース２１７を介して接続される外部装置１５０から、外部装置１５０でイベントが発生した旨の信号を取得する。
【００７４】
（ステップＳ６０２）  
ステップＳ６０２では、制御部２１３は、イベント判定部５０２として機能し、ステップＳ６０１で取得した信号に応じてイベントの種類を判定する。イベントの種類は、外部装置１５０で発生しうる全てのものに対応して設定しておくことができる。イベントの種類は、例えば、電話の着呼、メールの着信、またはＳＮＳの着信または更新、がある。
【００７５】
（ステップＳ６０３）  
ステップＳ６０３では、制御部２１３は、イベント判定部５０２として機能し、ステップＳ６０２で判定されたイベントが血圧測定を開始する指示を含んでいるかどうかを判定する。イベントが血圧測定を開始する指示を含んでいる場合には図７の処理手順へ進み、血圧測定を行う。一方、イベントが血圧測定を開始する指示を含んでいない場合には、次のステップへ進む。
【００７６】
（ステップＳ６０４）  
ステップＳ６０４では、制御部２１３は、イベント判定部５０２として機能し、ステップＳ６０２で判定されたイベントの種類が、ユーザへ知らせるべき種類であるかどうかを判定する。イベント判定部５０２は、記憶部２１４に予め記憶されている、ユーザへ知らせるべき（つまり、カフに流体を注入すべき）イベントの種類を参照し、ステップＳ６０３でＮＯとなったイベントの種類と一致するものが記憶部２１４にあるかどうかを判定する。記憶部２１４に一致するものがない場合には、イベント判定及びカフ制御プログラムを終了し、例えば、血圧測定装置１００は新たなイベントを取得できるよう待機する。  
一方、ステップＳ６０３でＮＯとなったイベントの種類と一致するものが記憶部２１４にあった場合には、ステップＳ６０５へ進む。また、記憶部２１４にはイベントの種類によってユーザにどのように感知させるかを予め記憶していて、イベント判定部５０２は記憶部２１４を参照して対応する指示を注入指示部５０３に渡す。この指示は、例えば、複数のカフを用意して、膨らますカフをイベントの種類ごとに変更する、またはカフ構造体３０に印加される最大圧力値をイベントの種類ごとに変更する等である。要するに、この指示は、ユーザが違いを感知できるようにカフ構造体３０の動作を変更するものであればよい。他に、カフ構造体３０の膨張収縮のパターンをイベントの種類ごとに変更する、でもよい。また、カフ構造体３０の膨張速度（または収縮速度）をイベントの種類ごとに変更する、でもよい。さらに、これらの組合せ（例えば、第１カフを１回膨らます、第２カフを２回膨らます）をイベントの種類ごとに変更してもよい。
【００７７】
（ステップＳ６０５）  
ステップＳ６０５では、制御部２１３は、注入指示部５０３として機能し、ステップＳ６０４で判定されたイベントの種類に応じて、ポンプ駆動回路２２０及びポンプ２２１を制御しカフ構造体３０へ流体を注入する。
【００７８】
（ステップＳ６０６）  
ステップＳ６０６では、制御部２１３は、圧力検出部５０４及び／または流入量検出部５０５として機能する。圧力検出部５０４として機能する場合は、ステップＳ６０５で開始されたカフ構造体３０への流体の注入によるカフ構造体３０内に印加される圧力値を検出する。流入量検出部５０５として機能する場合は、ステップＳ６０５で開始されたカフ構造体３０への流体の流入量を検出する。
【００７９】
（ステップＳ６０７）  
ステップＳ６０７では、制御部２１３は、圧力検出部５０４及び／または流入量検出部５０５として機能する。圧力検出部５０４として機能する場合は、ステップＳ６０６で検出した圧力値がある値に到達したかを判定する。ある値（本発明の「第１しきい値」に相当）に到達したと判定した場合にはステップＳ６０８へ進み、ある値に到達したと判定されなかった場合にはステップＳ６０６へ戻る。流入量検出部５０５として機能する場合は、ステップＳ６０６で検出した流入量がある値（本発明の「第２しきい値」に相当）に到達した場合にはステップＳ６０８へ進み、ある値に到達したと判定されなかった場合にはステップＳ６０６へ戻る。
【００８０】
（ステップＳ６０８）  
ステップＳ６０８では、制御部２１３は、注入停止排出指示部５０６として機能し、圧力検出部５０４からは、カフ構造体３０内の圧力値がある値に到達した旨を受け取った場合には、カフ構造体３０への流体の注入を停止するようにポンプ駆動回路２２０に指示する。ポンプ駆動回路２２０は、流体のカフ構造体３０への注入を停止するようにポンプ２２１に指示する。また、流入量検出部５０５からは、カフ構造体３０内への流入量がある値に到達した旨を受け取った場合には、圧力検出部５０４の場合と同様に、カフ構造体３０への流体の注入を停止するようにポンプ駆動回路２２０に指示する。
【００８１】
（ステップＳ６０９）  
ステップＳ６０９では、制御部２１３は、注入停止排出指示部５０６として機能し、例えば、ステップＳ６０８と同時にカフ構造体３０から流体を排出するようにポンプ駆動回路２２０に指示する。ポンプ駆動回路２２０は、流体のカフ構造体３０への注入を停止するようにポンプ２２１に指示すると、ポンプ２２１は注入を停止すると共に排気弁が開いて流体をカフ構造体３０から排出する。この場合、注入停止排出指示部５０６は、ポンプ駆動回路２２０へポンプ２２１の停止指示だけを行えば、ステップＳ６０８及びＳ６０９を実行することになる。
一方、ポンプ２２１のオンまたはオフの制御と、排気弁の開閉の制御とが別々に実行できるポンプ２２１が用意されている場合もある。この場合には、注入停止排出指示部５０６は、ポンプ２２１のオンまたはオフの制御の指示と、排気弁の開閉の制御の指示とを別々に行い、それぞれ実行する。この場合には、注入停止排出指示部５０６は、カフ構造体３０内の圧力値がある値に到達した旨を圧力検出部５０４から受け取った場合には、カフ構造体３０への流体の注入を停止するようにポンプ駆動回路２２０に指示し、例えば、それからある期間だけその状態を維持し、この期間が経過した後にカフ構造体３０から流体を排出させるようにポンプ駆動回路２２０に指示してもよい。また、注入停止排出指示部５０６は、カフ構造体３０内への流入量がある値に到達した旨を流入量検出部５０５から受け取った場合には、カフ構造体３０への流体の注入を停止するようにポンプ駆動回路２２０に指示し、例えば、それからある期間だけその状態を維持し、この期間が経過した後にカフ構造体３０から流体を排出させるようにポンプ駆動回路２２０に指示してもよい。
【００８２】
次に、図６のステップＳ６０３で血圧測定を実施する場合に、血圧測定装置１００がユーザの血圧値を測定することについて図７を参照して説明する。血圧測定装置１００は、制御部２１３によって、図７のフローチャートにしたがってオシロメトリック方式によりユーザの血圧値を測定する。
【００８３】
（起動）  
図６のステップＳ６０３でイベントが血圧測定を開始する指示を含んでいると判定された場合には、血圧測定装置１００は血圧測定プログラムを実行させる。血圧測定装置１００の制御部２１３は、以下の処理手順にしたがってユーザの血圧値を測定する。ここではオシロメトリック方式による血圧測定を説明するが、カフを用いてユーザの血圧値を測定できれば他の方式でも構わない。
【００８４】
（ステップＳ７０１）  
ステップＳ７０１では、制御部２１３は、血圧測定部５０７及び注入指示部５０３として機能し、血圧測定部５０７が注入指示部５０３へ加圧せよとの指示を渡し、注入指示部５０３がポンプ駆動回路２２０にポンプ２２１を使用してカフ構造体３０を加圧する（つまり、カフ構造体３０に流体を注入する）ように指示し、加圧が開始される。
ハードウェア的には、血圧測定開始に際して、制御部２１３は、ＲＡＭの処理用メモリ領域を初期化し、ポンプ駆動回路２２０に制御信号を出力する。ポンプ駆動回路２２０は、制御信号に基づいて、ポンプ２２１の排気弁を開放してカフの押圧カフ２３１内の空気を排気する。続いて、制御部２１３は、圧力センサ２１９の０ｍｍＨｇの調整を行う制御を行う。そして、ポンプ駆動回路２２０がポンプ２２１の排気弁を閉鎖し、その後、ポンプ駆動回路２２０がポンプ２２１を駆動して、カフ構造体３０に流体を注入する制御を行う。これにより、カフ構造体３０は同一圧力に加圧されて膨張する。
【００８５】
（ステップＳ７０２）  
ステップＳ７０２では、制御部２１３は、圧力検出部５０４及び注入停止排出指示部５０６として機能し、圧力検出部５０４がカフ構造体３０の圧力を検出し、予め設定されている目標とする圧力値に達したかどうかを判定する。目標とする圧力値に達していない場合にはステップＳ７０１へ戻り、目標とする圧力値に達した場合には次のステップへ進む。ここで、目標とする圧力値とは、ユーザの収縮期血圧値よりも十分高い圧力値（例えば、収縮期血圧値＋３０ｍｍＨｇ）であり、予め記憶部２１４に記憶されているか、カフ構造体３０の加圧中に制御部２１３が収縮期血圧値を所定の算出式により推定して決定する。
【００８６】
（ステップＳ７０３）  
ステップＳ７０３では、制御部２１３は、圧力検出部５０４及び注入停止排出指示部５０６として機能し、カフ構造体３０の圧力が加圧されて予め設定される目標とする圧力値に達すると、制御部２１３は、ポンプ駆動回路２２０を介してポンプ２２１を停止し、その後、ポンプ２２１の排気弁を徐々に開放する制御を行う。これにより、押圧カフ２３１を収縮させると共に徐々に減圧して行く。
【００８７】
（ステップＳ７０４）  
ステップＳ７０４では、制御部２１３は、圧力検出部５０４及び血圧測定部５０７として機能し、ステップＳ７０３から開始された減圧過程において、圧力検出部５０４が圧力センサ２１９からカフ構造体３０の圧力値を検出してカフ圧信号を出力する。また、減圧速度については、カフ構造体３０の加圧中に目標となる目標減圧速度を設定し、その目標減圧速度になるように制御部２１３がポンプ２２１の排気弁の開口度を制御する。
【００８８】
（ステップＳ７０５）  
ステップＳ７０５では、制御部２１３は、血圧測定部５０７として機能し、このカフ圧信号に基づいて、オシロメトリック方式により公知のアルゴリズムを適用して血圧値（収縮期血圧値と拡張期血圧値）を算出する。制御部２１３は、血圧値を算出すると、算出した血圧値を記憶部２１４へ保存する制御を行う。測定が終了すると、制御部２１３は、ポンプ駆動回路２２０を介してポンプ２２１の排気弁を開放し、カフ構造体３０の空気を排気する制御を行う。なお、血圧値の算出は、減圧過程に限らず、加圧過程において行われてもよい。
【００８９】
＜作用と効果＞  
以上のように、本実施形態では、上記のステップＳ６０１において外部装置１５０で発生したイベントを取得し、ステップＳ６０２でイベントの種類を判定することで、イベントごとに異なる動作を行うことが可能になる。そして、ステップＳ６０３及びＳ６０４により、血圧測定装置１００は、イベントに依存して、ユーザの血圧を測定したり、ユーザに報知したり、または何もアクションを起こさない等の動作を選択する。さらにステップＳ６０５以下では、カフ構造体３０を膨張させることによって、血圧測定装置１００は、特定のイベントが外部装置１５０で発生したことをユーザに感知させることができる。
【００９０】
すなわち、本実施形態では、外部装置１５０で発生したイベントを取得し、このイベントが特定のイベントである場合には、制御部２１３がポンプ駆動回路２２０を駆動し、圧力センサ２１９によってカフ構造体３０の圧力をモニタしつつポンプ２２１を作動させ、カフ構造体３０を膨張させることができる。そして、例えば、圧力センサ２１９が検出する圧力値が大きくなりしきい値に達したら、カフ構造体３０の圧力を降下させ流体を排出することにより、カフ構造体３０を初期状態に戻すことができる。このため、新たなイベントが外部装置１５０で発生しても、ユーザへ報知することが可能になる。また、カフ構造体３０が膨張する際は、流体がカフ構造体３０に注入するだけであるので、カフ構造体３０の膨張による騒音は、流体が流路を通ってカフ構造体３０に入る流体の音と、流体をカフ構造体３０に注入する機械が動作する動作音とがある。いずれの音による騒音も、アクチュエータによる振動音よりも小さく設定することができるので、この振動音よりもカフの膨張による騒音は少なくすることができる。したがって、本実施形態によれば、装着しているものだけがイベントの発生を感知することができるようになる。
【００９１】
［変形例］  
以上、本発明の実施の形態を詳細に説明してきたが、前述までの説明はあらゆる点において本発明の例示に過ぎない。本発明の範囲を逸脱することなく種々の改良や変形を行うことができることは言うまでもない。例えば、以下のような変更が可能である。なお、以下では、上記実施形態と同様の構成要素に関しては同様の符号を用い、上記実施形態と同様の点については、適宜説明を省略した。以下の変形例は適宜組み合わせ可能である。
【００９２】
＜１＞  
（ハードウェア構成）  
上記の実施形態では、血圧測定装置１００は、図２に示すように、出力装置２１１、入力装置２１２、制御部２１３、記憶部２１４、ドライブ２１５、外部インタフェース２１６、通信インタフェース２１７（受信部１０１に含まれる）、及び電池２１８が電気的に接続されたコンピュータを含んでいる。しかしながら、この他にさらに種々の情報処理を行うための装置を備えていてもよい。例えば、図８に示される通り、血圧測定装置１００は、さらに、加速度センサ８０１、気圧センサ８０２、第２圧力センサ８０３、温湿度センサ８０４、開閉弁８０５、及びセンシングカフ８３１を備えていてもよい。
【００９３】
加速度センサ８０１は、３軸加速度センサである。加速度センサ８０１は、互いに直交する３方向の加速度を表す加速度信号を制御部２１３へ出力する。  
気圧センサ８０２は、気圧を検出する。気圧センサ８０２は、気圧データを制御部２１３へ出力する。  
温湿度センサ８０４は、血圧測定装置１００の周辺の環境温度及び環境湿度を計測し、温度及び湿度データを制御部２１３へ出力する。
【００９４】
また、図示していないが、血圧測定装置１００は、ＧＰＳ受信機を備えていてもよい。ＧＰＳ受信機は、複数のＧＰＳ衛星から送信されるＧＰＳ信号をそれぞれ受信し、受信したＧＰＳ信号を制御部２１３へ出力する。制御部２１３は、上記各ＧＰＳ信号を基に測距演算を行うことで、血圧測定装置１００の現在位置情報、つまり血圧測定装置１００を装着している被測定者（ユーザ）の位置を算出する。
なお、血圧測定装置１００は、ＧＰＳ受信機及び制御部２１３による測距演算機能は必ずしも備えていなくてもよい。この場合、血圧測定装置１００は、当該外部装置１５０により算出された位置情報を、通信インタフェース２１７を介して外部装置１５０から取得する。
なお、この場合、電池２１８は、例えば、出力装置２１１、制御部２１３、記憶部２１４、加速度センサ８０１、気圧センサ８０２、温湿度センサ８０４、通信インタフェース２１７、（第１）圧力センサ２１９、第２圧力センサ８０３、ポンプ駆動回路２２０、ポンプ２２１、開閉弁８０５、及び、ＧＰＳ受信機（図示せず）へ電力を供給する。
【００９５】
カフ構造体３０は、カーラ３０１と、押圧カフ２３１と、背板３０３と、センシングカフ８３１とを備えている。
背板３０３は、押圧カフ２３１の内周面に沿って配置されている。背板３０３は、帯状である。背板３０３は、例えば、樹脂で構成されている。樹脂は、例えば、ポリプロピレンである。背板３０３は、補強板として機能する。このため、背板３０３は、押圧カフ２３１からの押圧力をセンシングカフ８３１の全域に伝えることができる。  
【００９６】
センシングカフ８３１は、背板３０３の内周面に沿って配置されている。センシングカフ８３１は、袋状のものである。センシングカフ８３１は、第１シート３０４Ａ（図９）と、第１シート３０４Ａに対向する第２シート３０４Ｂ（図９）とを備えている。第１シート３０４Ａは、カフ構造体３０の内周面３０ｃ（図３）に相当する。このため、第１シート３０４Ａは、被測定部位に接する。第２シート３０４Ｂは、背板３０３の内周面に対向する。第１シート３０４Ａ及び第２シート３０４Ｂは、例えば、伸縮可能なポリウレタンシートである。センシングカフ８３１には、可撓性チューブ８４１（図８）が取り付けられている。可撓性チューブ８４１は、センシングカフ８３１に流体を供給し、またはセンシングカフ８３１から流体を排出するための要素である。
【００９７】
背板３０３は、押圧カフ２３１とセンシングカフ８３１との間に介挿され、Ｚ方向に沿って延在する。センシングカフ８３１は、左手首９０に接し、かつ、左手首９０の動脈通過部分９０ａを横切るようにＺ方向に延在する。ベルト２０、カーラ３０１、押圧カフ２３１、及び、背板３０３は、左手首９０へ向かって押圧力を発生可能な押圧部材として働き、センシングカフ８３１を介して左手首９０を圧迫する。
【００９８】
開閉弁８０５は、第２流路形成部材８４２に介挿されている。開閉弁８０５は、例えば、常時開（Normal Open）の電磁弁である。開閉弁８０５の開閉は、制御部２１３からの制御信号に基づいて制御される。開閉弁８０５が開状態にある時、ポンプ２２１は、第２流路を構成する可撓性チューブ８４１及び第２流路形成部材８４２を介して、センシングカフ８３１に流体を供給することができる。
【００９９】
センシングカフ８３１がある場合に血圧測定装置１００の装着状態について説明する。図９は、図３同様に、装着状態における被測定部位である左手首９０に垂直な断面を示す図である。本体１０とベルト２０の図示は省略されている。図９には、左手首９０の橈骨動脈９１、尺骨動脈９２、橈骨９３、尺骨９４、及び、腱９５が示されている。カーラ３０１は、左手首９０のＺ方向に沿って延在する。押圧カフ２３１は、カーラ３０１の内周側で、Ｚ方向に沿って延在する。背板３０３は、押圧カフ２３１とセンシングカフ８３１との間に介挿され、Ｚ方向に沿って延在する。センシングカフ８３１は、左手首９０に接し、かつ、左手首９０の動脈通過部分９０ａを横切るようにＺ方向に延在する。ベルト２０、カーラ３０１、押圧カフ２３１、及び、背板３０３は、左手首９０へ向かって押圧力を発生可能な押圧部材として働き、センシングカフ８３１を介して左手首９０を圧迫する。
【０１００】
＜２＞  
（ソフトウェア構成）  
本実施形態に係る血圧測定装置１００は、活動量測定部、歩数計測部、睡眠状態計測部、及び、環境（温度及び湿度）計測部をさらに備えるコンピュータとして機能してもよい。記憶部２１４は、例えば、それぞれに対応するプログラム（活動量測定プログラム、歩数計測プログラム、睡眠状態計測プログラム、及び、環境（温度及び湿度）計測プログラム）を記憶し、必要なプログラムを実行する際に、所望のプログラムをＲＡＭに展開する。そして、制御部２１３は、ＲＡＭに展開されたプログラムをＣＰＵにより解釈及び実行して、各構成要素を制御する。  
血圧測定装置１００は、例えば、被測定者による血圧測定の開始指示の入力、または血圧測定装置１００が受信したイベントに基づいて血圧測定を開始する。
【０１０１】
活動量測定部は、加速度センサ８０１より加速度を検出し、活動量を算出する。活動量測定部は、加速度信号を用いて、被測定者の歩行だけでなく、家事やデスクワークなどの様々な活動における活動量を算出することができる。活動量は、例えば、歩行距離、消費カロリー、または、脂肪燃焼量などの被測定者の活動に関連する指標である。
【０１０２】
歩数計測部は、加速度センサ８０１により加速度、気圧センサ８０２により気圧を検出し、歩数、早歩き歩数、階段上り歩数を算出する。加速度信号を用いて、被測定者の歩行を算出する。歩数計測部は、気圧データ及び加速度信号を用いて、被測定者の歩数、早歩き歩数、及び、階段のぼり歩数などを算出することができる。
【０１０３】
睡眠状態計測部は、加速度センサ８０１により加速度を検出し、加速度信号によって寝返りの状態を検出することで、睡眠状態を推定することができる。
【０１０４】
環境（温度及び湿度）計測部は、温湿度センサ８０４により計測された環境温度及び環境湿度を示す環境データを温湿度センサ８０４における計測時刻と紐づけて記憶部２１４に記憶させる。気温（気温の変化）は、例えば、人間の血圧変動を引き起こしうる要素の１つとして考えられる。このため、環境データは、被測定者の血圧変動の要因となりうる情報である。
【０１０５】
＜３＞  
血圧測定装置１００は、外部装置１５０と別体で構成されている。しかしながら、血圧測定装置１００及び外部装置１５０の構成はこのような例に限定されなくてもよく、血圧測定装置１００及び外部装置１５０の両方の機能を有するシステムを１台のコンピュータで実現してもよい。
【０１０６】
＜４＞  
入力装置２１２に含まれる操作部１０６が押される（オンされる）と、血圧測定装置１００は血圧測定を開始されてもよい（図７の動作を行う）。
【０１０７】
＜５＞  
イベントの種類によって膨張させるカフを変更してもよい。例えば、押圧カフ２３１のみ膨張させる、センシングカフ８３１のみ膨張させる、押圧カフ２３１及びセンシングカフ８３１の両方を膨張させる。
また、血圧測定装置１００は通常でカフ構造体３０が膨張していて、外部装置１５０でイベントが発生した旨を受けて、カフ構造体３０内の流体を排出してカフ構造体３０を収縮させてもよい。ユーザはカフが膨張から収縮することを感知し、外部装置１５０にイベントが発生したことを知ることができる。上記の実施形態とは、カフ構造体３０の初期状態を「膨張」に変更し、イベントを報知するためにカフ構造体３０を「収縮」させることが異なる。
【０１０８】
＜６＞
上述の実施形態では、カフ構造体３０を使用してオシロメトリック方式によりユーザの血圧値を測定している。しかしながら、血圧値を測定するだけの場合にはこれに限らなくてもよい。例えば、圧脈波を心拍ごとに検出する圧脈波センサを備え、被測定部位（例えば、左手首）を通る橈骨動脈の圧脈波を検出して血圧値（収縮期血圧値と拡張期血圧値）を測定してもよい（トノメトリ方式）。圧脈波センサは、被測定部位（例えば、左手首）を通る橈骨動脈の脈波をインピーダンスの変化として検出して血圧値を測定してもよい（インピーダンス方式）。圧脈波センサは、被測定部位のうち対応する部分を通る動脈へ向けて光を照射する発光素子と、その光の反射光（または透過光）を受光する受光素子とを備えて、動脈の脈波を容積の変化として検出して血圧値を測定してもよい（光電方式）。また、圧脈波センサは、被測定部位に当接された圧電センサを備えて、被測定部位のうち対応する部分を通る動脈の圧力による歪みを電気抵抗の変化として検出して血圧値を測定してもよい（圧電方式）。さらに、圧脈波センサは、被測定部位のうち対応する部分を通る動脈へ向けて電波（送信波）を送る送信素子と、その電波の反射波を受信する受信素子とを備えて、動脈の脈波による動脈とセンサとの間の距離の変化を送信波と反射波との間の位相のずれとして検出して血圧値を測定してもよい（電波照射方式）。なお、血圧値を算出することができる物理量を観測することができれば、これらの以外の方式を適用してもよい。
【０１０９】
＜７＞
本発明の装置は、コンピュータとプログラムによっても実現でき、プログラムを記録媒体（または記憶媒体）に記録することも、ネットワークを通して提供することも可能である。  
また、以上の各装置及びそれらの装置部分は、それぞれハードウェア構成、またはハードウェア資源とソフトウェアとの組み合せ構成のいずれでも実施可能となっている。組み合せ構成のソフトウェアとしては、予めネットワークまたはコンピュータ読み取り可能な記録媒体（または記憶媒体）からコンピュータにインストールされ、当該コンピュータのプロセッサに実行されることにより、各装置の機能を当該コンピュータに実現させるためのプログラムが用いられる。
【０１１０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
また、「及び／または」とは、「及び／または」でつながれて列記される事項のうちの任意の１つ以上の事項という意味である。具体例を挙げると、「ｘ及び／またはｙ」とは、３要素からなる集合｛（ｘ）,（ｙ）,（ｘ,ｙ）｝のうちのいずれかの要素という意味である。もう１つの具体例を挙げると、「ｘ、ｙ、及び／またはｚ」とは、７要素からなる集合｛（ｘ）,（ｙ）,（ｚ）,（ｘ,ｙ）,（ｘ,ｚ）,（ｙ,ｚ）,（ｘ,ｙ,ｚ）｝のうちのいずれかの要素という意味である。
【０１１１】
＜８＞
また、上記の実施形態の一部または全部は、以下の付記のようにも記載されうるが、以下には限られない。
【０１１２】
（付記１）  
ハードウェアプロセッサと、メモリとを備える生体の情報を測定する生体情報測定装置であって、
前記ハードウェアプロセッサは、
イベントが発生した旨の信号を外部装置から受信し、
前記受信された信号に応答して前記生体に装着される少なくとも１つのカフに流体を注入するように構成され、
前記メモリは、
生体の情報を記憶する記憶部と、を備える生体情報測定装置。
【０１１３】
（付記２）  
少なくとも１つのハードウェアプロセッサを用いて、イベントが発生した旨の信号を外部装置から受信し、
少なくとも１つのハードウェアプロセッサを用いて、前記受信された信号に応答して生体に装着される少なくとも１つのカフに流体を注入することを備える生体情報測定方法。
【符号の説明】
【０１１４】
１０…本体、１０Ａ…ケース、１０Ｂ…ガラス、１０Ｃ…裏蓋、２０…ベルト、３０…カフ構造体、３０ａ…カフの一端、３０ｂ…カフの他端、３０ｃ…カフの内周面、９０…左手首、９０ａ…動脈通過部分、９１…橈骨動脈、９２…尺骨動脈、９３…橈骨、９４…尺骨、９５…腱、１００…血圧測定装置、１０１…受信部、１０２…血圧測定部、１０３…ポンプ、１０４…カフ、１０５…イベント判定部、１０６…操作部、１５０…外部装置、２０１…第１ベルト部、２０１ａ…根元部、２０１ｂ…先端部、２０２…第２ベルト部、２０２ａ…根元部、２０２ｂ…先端部、２０２ｃ…小穴、２０３…尾錠、２０３Ａ…枠状体、２０３Ｂ…つく棒、２０３Ｃ…連結棒、２０４…ベルト保持部、２１１…出力装置、２１２…入力装置、２１３…制御部、２１４…記憶部、２１５…ドライブ、２１６…外部インタフェース、２１７…通信インタフェース、２１８…電池、２１９…（第１）圧力センサ、２２０…ポンプ駆動回路、２２１…ポンプ、２３１…押圧カフ、２４１…可撓性チューブ、２４２…第１流路形成部材、３０１…カーラ、３０３…背板、３０４Ａ…第１シート、３０４Ｂ…第２シート、４０１…連結棒、４０２…連結棒、５０１…イベント取得部、５０２…イベント判定部、５０３…注入指示部、５０４…圧力検出部、５０５…流入量検出部、５０６…注入停止排出指示部、５０７…血圧測定部、８０１…加速度センサ、８０２…気圧センサ、８０３…第２圧力センサ、８０４…温湿度センサ、８０５…開閉弁、８３１…センシングカフ、８４１…可撓性チューブ、８４２…第２流路形成部材。
【図１】
2019118435.tif 000003
【図２】
2019118435.tif 000004
【図３】
2019118435.tif 000005
【図４】
2019118435.tif 000006
【図５】
2019118435.tif 000007
【図６】
2019118435.tif 000008
【図７】
2019118435.tif 000009
【図８】
2019118435.tif 000010
【図９】
2019118435.tif 000011